(57)【要約】【課題】無線通信端末が通信エリア外に滞在すると推定される時間に基づいて、予め取得するコンテンツを決定する。【解決手段】ネットワーク上のサーバからコンテンツを取得する無線通信端末において、端末の位置、移動方向、移動速度および通信エリア情報に基づいて、端末が通信エリア外に滞在する時間を推定する通信エリア外滞在時間推定手段と、前記通信エリア外滞在時間推定手段により推定した時間に応じて、ユーザが閲覧すると推定されるコンテンツを決定する取得コンテンツ決定手段と、前記取得コンテンツ決定手段で決定したコンテンツを通信エリア内で予め取得するコンテンツ取得手段と、を備える。【選択図】図１
2012231207.tif 000002
【特許請求の範囲】
【請求項１】
ネットワーク上のサーバからコンテンツを取得する無線通信端末であって、
前記無線通信端末の位置を取得する位置取得手段と、
前記無線通信端末の移動方向を検出する移動方向検出手段と、
前記無線通信端末の移動速度を検出する移動速度検出手段と、
前記無線通信端末が通信できる通信エリア情報を管理する通信エリア情報管理手段と、
前記位置、前記移動方向、前記移動速度および前記通信エリア情報に基づいて、前記無線通信端末が通信エリア外に滞在する時間を推定する通信エリア外滞在時間推定手段と、
前記通信エリア外滞在時間推定手段により推定した前記無線通信端末が通信エリア外に滞在する時間に応じて、ユーザが取得すると推測されるコンテンツを決定する取得コンテンツ決定手段と、
前記取得コンテンツ決定手段で決定した前記ユーザが取得すると推測されるコンテンツを通信エリア内で予め取得するコンテンツ取得手段と、
を備えた無線通信端末。
【請求項２】
前記通信エリア情報管理手段では、鉄道または道路の路線上において通信できるか否かの情報を管理する請求項１記載の無線通信端末。
【請求項３】
道路または鉄道路線の情報を管理する地図管理手段を備え、
前記通信エリア外滞在時間推定手段では、前記地図管理手段からの前記道路または鉄道路線の情報に基づいて前記無線通信端末が通信エリア外に滞在する時間を推定する請求項１または請求項２に記載の無線通信端末。
【発明の詳細な説明】
【技術分野】
【０００１】
本発明は、ネットワーク上のサーバからコンテンツを取得する無線通信端末に関する。
【背景技術】
【０００２】
従来技術として、無線通信端末が通信エリア外にあってもネットワーク上のコンテンツを提供可能にするものが知られている（例えば、特許文献１参照）。この従来技術では、無線通信端末が通信エリア内にあったときに、無線通信端末が移動する位置を推定し、その位置に関連する位置情報コンテンツを予め取得しておくことで、無線通信端末が通信エリア外にあっても位置情報コンテンツの提示を可能としている。
【先行技術文献】
【特許文献】
【０００３】
【特許文献１】特許第４３１７４０９号公報
【発明の概要】
【発明が解決しようとする課題】
【０００４】
しかしながら、上記従来技術では、無線通信端末が取得するコンテンツの数を無線強度に基づいた通信エリア内での通信可能時間により決定しているため、実際には参照される可能性の低いコンテンツまで取得してしまうという課題を有していた。
【０００５】
本発明の目的は、無線通信端末が通信エリア外に滞在すると推定される時間に基づいて、予め取得するコンテンツを決定することで、無線通信端末の電力および通信資源を有効に利用することにある。
【課題を解決するための手段】
【０００６】
上記課題を解決するため、本発明の無線通信端末は、ネットワーク上のサーバからコンテンツを取得する無線通信端末であって、前記無線通信端末の位置を取得する位置取得手段と、前記無線通信端末の移動方向を検出する移動方向検出手段と、前記無線通信端末の移動速度を検出する移動速度検出手段と、前記無線通信端末が通信できる通信エリア情報を管理する通信エリア情報管理手段と、前記位置、前記移動方向、前記移動速度および前記通信エリア情報に基づいて、前記無線通信端末が通信エリア外に滞在する時間を推定する通信エリア外滞在時間推定手段と、前記通信エリア外滞在時間推定手段により推定した前記無線通信端末が通信エリア外に滞在する時間に応じて、ユーザが取得すると推測されるコンテンツを決定する取得コンテンツ決定手段と、前記取得コンテンツ決定手段で決定した前記ユーザが取得すると推測されるコンテンツを通信エリア内で予め取得するコンテンツ取得手段と、を備える構成となっている。
【発明の効果】
【０００７】
本発明によれば、無線通信端末が通信エリア外に移動すると推定される場合に、通信エリア外に滞在すると推定される時間に基づいて、予め取得するコンテンツを決定することができるため、無線通信端末の電力および通信資源を有効に利用することができる。
【図面の簡単な説明】
【０００８】
【図１】本発明の実施の形態に係る無線通信端末の構成を示す図
【図２】本発明の実施の形態に係る取得コンテンツ決定部の処理を示すフローチャート
【図３】本発明の実施の形態に係るリンクリストの作成例を示す図
【図４】本発明の実施の形態に係るリンクリストからコンテンツを選択する処理を示すフローチャート
【発明を実施するための形態】
【０００９】
以下、本発明を実施するための形態について、図面を参照しながら説明する。
【００１０】
図１に、本実施の形態に係る無線通信端末１００の構成を示す。
【００１１】
無線通信端末１００において、位置取得部１０１は、無線通信端末１００の位置を計測し、計測した位置を通信エリア外滞在時間推定部１０５に出力する。また、移動方向検出部１０２は、無線通信端末１００の移動方向を計測し、計測した移動方向を通信エリア外滞在時間推定部１０５に出力する。さらに、移動速度検出部１０３は、無線通信端末１００の移動速度を計測し、計測した移動速度を通信エリア外滞在時間推定部１０５に出力する。
【００１２】
通信エリア外滞在時間推定部１０５は、無線通信端末１００の位置、移動方向、および移動速度と、通信エリア情報管理部１０４から取得した無線通信端末１００が通信可能なエリア情報とから、無線通信端末１００が通信エリア外に滞在する時間を推定する。
【００１３】
また、地図管理部１０６から道路や鉄道路線の情報を取得することで、無線通信端末１００を所持しているユーザが徒歩で移動しているか、車で高速道路を走行しているか、鉄道で移動しているかなどの移動交通手段を推定し、通信エリア情報管理部１０４に蓄積している鉄道や道路の路線上で通信が可能か否かに関する情報（例えば、地下やトンネルの中であり通信ができないことを示す情報）を利用することで、通信エリア外滞在時間の精度を向上させることが可能である。
【００１４】
例えば、ユーザが北の方角に向かって鉄道で移動していたとき、ユーザが乗っている鉄道は１ｋｍ先で東に曲がって進むとする。地図管理部１０６から取得した道路地図や鉄道網を利用しない場合は、１ｋｍ先で東に方向を変えることは推定できないが、地図管理部１０６から取得した道路地図や鉄道網を利用する場合は、１ｋｍ先で東に方向を変えて進むことは推定でき、通信エリア外滞在時間の精度を向上させることが可能である。ここでユーザが使用したナビゲーション機能の結果を用いて通信エリア外滞在時間の精度を向上させても良い。
【００１５】
通信エリア外滞在時間推定部１０５は、無線通信端末１００が通信エリア外に滞在する推定時間を取得コンテンツ決定部１０７に出力する。
【００１６】
取得コンテンツ決定部１０７は、通信エリア外に滞在する推定時間内にユーザが閲覧すると推定されるコンテンツを決定する。
【００１７】
コンテンツ取得部１０８は、取得コンテンツ決定部１０７においてユーザが閲覧すると推定されたコンテンツをコンテンツサーバ１１０より取得し、コンテンツデータベース１０９に蓄積する。
【００１８】
図２に取得コンテンツ決定部１０７の処理フローを示す。
【００１９】
まず、通信エリア外滞在時間推定部１０５より通信エリア外滞在時間を受信する（Ｓ２００）。
【００２０】
そして、受信した通信エリア外滞在時間が０より大きいかどうかを判断し（Ｓ２０１）、０の場合は、無線通信端末１００が通信エリア外に移動しないと判断してコンテンツの取得は行わず処理を終了する。通信エリア外滞在時間が０より大きい場合はＳ２０２の処理に移る。
【００２１】
Ｓ２０２では、現在閲覧しているコンテンツから参照されているコンテンツのリストをリンクリストとして作成する。例えば、Ｗｅｂページなどからリンクされているページのリストなどを指す。
【００２２】
次に、無線通信端末１００が通信エリア外に滞在する間に、ユーザが閲覧すると推定される閲覧推定コンテンツ数を決定する（Ｓ２０３）。例えば、ユーザがHTMLで記載されたWebページを閲覧していた時に、通信エリア外に3分間滞在すると推定された場合、１分間に1ページ分のコンテンツを閲覧すると仮定すると閲覧推定コンテンツ数は３となる。
【００２３】
そして、Ｓ２０３で決定した閲覧推定コンテンツ数に基づいて、リンクリストからコンテンツを選択する（Ｓ２０５）。
【００２４】
ここで、ユーザが閲覧中のコンテンツは本文と、広告とから構成され、本文からは複数のコンテンツがリンクされており、かつ、広告からも複数のコンテンツがリンクされていると仮定する。ユーザが閲覧中のコンテンツに記載されているHTMLのタグを解析し、コンテンツに含まれるリンクを本文からのリンクと、広告からのリンクとに分類する。閲覧推定コンテンツ数を３とした場合には、本文に分類されたリンクをページの先頭に近い順に３つ選択し、選択されたリンク先のコンテンツを通信エリア外に滞在する推定時間内にユーザが閲覧すると推定されるコンテンツとする。
【００２５】
この際、ユーザの嗜好情報、過去のコンテンツ閲覧履歴、コンテンツ属性に関する情報を利用しても良い。さらに、リンク先のコンテンツがテキストと画像を含んでいた場合には、テキストのみをキャッシュするなどして通信時間を短縮しても良い。また、閲覧コンテンツはHTMLで記載されたWebページに限定されない。
【００２６】
なお、Ｓ２０２で作成したリンクリストに含まれるコンテンツ数が、Ｓ２０３で決定した閲覧推定コンテンツ数より少ない場合には、リンクリストのコンテンツ１つから参照されているコンテンツよりリンクリストを再帰的に作成し、Ｓ２０３で決定した閲覧推定コンテンツ数に足りるコンテンツ数になるまで繰り返す。
【００２７】
リンクリストの作成例を、図３を用いて示す。現在参照しているコンテンツ３０１がリンクＡ、リンクＢ、リンクＣを含んでいるとする。リンクＡはコンテンツＡ３０２を指しており、リンクＢはコンテンツＢ３０３を指しており、リンクＣはコンテンツＣ３０４を指している。この場合Ｓ２０２で作成したリンクリストはリンクＡ、リンクＢ，リンクＣであり、リンクリストに含まれるコンテンツ数は３となる。ここで、Ｓ２０３で決定した閲覧推定コンテンツ数が１５であった場合には、コンテンツＡ３０２、コンテンツＢ３０３、コンテンツＣ３０４についても再帰的にＳ２０２の処理を行い、それぞれのコンテンツが含むリンクをリンクリストに追加する。この段階でリンクリストは１２個のコンテンツを含んでおり、Ｓ２０３で決定した閲覧推定コンテンツ数１５に満たないため、コンテンツＡ−ａ３０５、コンテンツＡ−ｂ３０６についても同様の処理を行うことでＳ２０３で決定した閲覧推定コンテンツ数１５を満たすようにする。
【００２８】
逆に、Ｓ２０２で作成したリンクリストに含まれるコンテンツ数が、Ｓ２０３で決定した閲覧推定コンテンツ数より多い場合には、リンクリストからユーザが閲覧すると推定される数だけのコンテンツを選択する（Ｓ２０５）。この際、ユーザの嗜好情報、過去の類似コンテンツを閲覧するのに要した時間、過去のコンテンツ閲覧履歴、コンテンツ属性に関する情報などを利用しても良い。
【００２９】
この場合の処理例を図４に示す。まず、ユーザの嗜好に合致するコンテンツをＳ２０２で作成したリンクリストから抽出する（Ｓ４０１）。
【００３０】
次に、Ｓ４０１で抽出したコンテンツの数と、Ｓ２０３で決定した閲覧推定コンテンツ数とを比較する（Ｓ４０２）。
【００３１】
Ｓ４０１で抽出したコンテンツ数がＳ２０３で決定した閲覧推定コンテンツ数より少ない場合は、Ｓ４０１で抽出したコンテンツを閲覧推定コンテンツとして決定（Ｓ４０７）して処理を終了する。ここで、ユーザの嗜好に合致しなかったコンテンツを、リンクリストの先頭から順に、Ｓ２０３で決定した閲覧推定コンテンツ数になるまで閲覧推定コンテンツとして決定しても良い。
【００３２】
Ｓ４０１で抽出したコンテンツ数がＳ２０３で決定した閲覧推定コンテンツ数より多い場合は、Ｓ４０１で抽出したコンテンツの中から１つコンテンツを選択する（Ｓ４０３）。
【００３３】
そして、Ｓ４０３で選択したコンテンツが文章を多く含んでいるか、画像を多く含んでいるかを判断する（Ｓ４０４）。ここで、コンテンツのサイズなど他のコンテンツの属性を利用しても良い。
【００３４】
文章を多く含んでいるコンテンツは、ユーザから参照される可能性が高いと判断し、閲覧推定コンテンツとして決定する（Ｓ４０５）。一方、画像を多く含んでいるコンテンツはユーザから閲覧される可能性が低いと判断し、閲覧推定コンテンツには含めない。ここで、ユーザのコンテンツ閲覧履歴より、文章を多く含むコンテンツは閲覧される可能性が低く、画像を多く含むコンテンツは閲覧される可能性が高いと判断できる場合には、画像を多く含むコンテンツを閲覧推定コンテンツとしても良い。
【００３５】
次に、Ｓ４０５で決定した閲覧推定コンテンツの累積数とＳ２０３で決定した閲覧推定コンテンツ数とを比較する（Ｓ４０６）。Ｓ４０５で決定した閲覧推定コンテンツの累積数が、Ｓ２０３で決定した閲覧推定コンテンツ数より少ない場合はＳ４０３の処理に戻る。逆に、Ｓ４０５で決定した閲覧推定コンテンツの累積数がＳ２０３で決定した閲覧推定コンテンツ数より多くなった場合は処理を終了する。
【００３６】
以上のように、本実施の形態によれば、無線通信端末が通信エリア外に移動すると推定される場合に、通信エリア外に滞在すると推定される時間に基づいて、予め取得するコンテンツを決定することができるため、無駄な処理を削減でき、無線通信端末の電力および通信資源を有効に利用することができる。
【００３７】
さらに、ユーザの嗜好や閲覧履歴に基づいて取得するコンテンツを決定することにより、閲覧される可能性の高いコンテンツを選択して取得しておくことが可能となる。
【産業上の利用可能性】
【００３８】
本発明は、ネットワーク上のサーバからコンテンツを取得する携帯電話、情報端末などの無線通信端末に利用できる。
【符号の説明】
【００３９】
１００    無線通信端末
１０１    位置取得部
１０２    移動方向検出部
１０３    移動速度検出部
１０４    通信エリア情報管理部
１０５    通信エリア外滞在時間推定部
１０６    地図管理部
１０７    取得コンテンツ決定部
１０８    コンテンツ取得部
１０９    コンテンツデータベース
１１０    コンテンツサーバ
３０１    現在参照しているコンテンツ
３０２    コンテンツＡ
３０３    コンテンツＢ
３０４    コンテンツＣ
３０５    コンテンツＡ−ａ
３０６    コンテンツＡ−ｂ
【図１】
2012231207.tif 000003
【図２】
2012231207.tif 000004
【図３】
2012231207.tif 000005
【図４】
2012231207.tif 000006